(57)【要約】【課題】  簡易開口器を要治療者の口腔内に装着して、口腔内での開口部の角度を変えるように簡易開口器を移動操作しても、上下の歯間又は歯茎間の一部に介在されて咥えられた部分は口腔内では殆ど移動せず、装着された介護者に不快感を与えない簡易開口器を提供する。【解決手段】  口腔内に装着されて口唇に当接し、開放した状態の口唇を支える口唇支持部３と、上下の歯間に介在されて清掃治療用の口の開口状態を確保するための第１舌片４と、該第１舌片４が前記清掃治療用の開口状態を確保している時において頬裏部分に位置して頬肉を押圧する第２舌片５と、指先で掴んで前記口唇支持部を保持したり口腔に着脱するための把持部７とを有するようにした。【選択図】  図１
2006326017.tif 000002
【特許請求の範囲】
【請求項１】
口腔内に装着されて口唇に当接し、開放した状態の口唇を支える口唇支持部と、上下の歯間に介在されて清掃治療用の口の開口状態を確保するための第１舌片と、該第１舌片が前記清掃治療用の開口状態を確保している時において頬裏部分に位置して頬肉を押圧する第２舌片と、指先で掴んで前記口唇支持部を保持したり口腔に着脱するための把持部とを有することを特徴とする口腔内清掃治療用開口器。
【請求項２】
前記口唇支持部の周面には、口腔内に装着されたときに、上下の口唇の周面に当接して、口唇の開口状態を支える前側口唇当接縁部および内側口唇当接縁部が湾曲状に連続し、前記口唇支持部の一側には、前記前側口唇当接縁部から延在する把持部と、内側口唇当接縁部から延在する第２舌片とが離間するように延長している請求項１に記載の口腔内清掃治療用開口器。
【請求項３】
前記口唇支持部、第１舌片及び第２舌片において、歯、歯茎及び頬に当接する全部若しくは一部分が弾性体からなり、他の部分が硬質体からなる請求項１又は２に記載の口腔内清掃治療用開口器。
【発明の詳細な説明】
【技術分野】
【０００１】
本発明は、例えば要介護人や乳幼児のように、歯ブラシで歯を磨いたり、口の中や歯を治療する場合に自身で口を開けられなかったり、開けるのを嫌がるような人（以下「要治療者」という）の口腔内部を清掃治療するために使用する開口器に関するものである。
【背景技術】
【０００２】
虫歯、その他の原因で歯を治療する場合、及び歯の唇側面、舌側面及び咬合面を清掃したり磨く場合、要治療者であってもある程度の時間は口を開け放しにしなければならない。しかし、口を開け放しにできなかったり嫌がる要治療者のために、従来から口を開放するための開口器を使用している。
【０００３】
従来の開口器としては、上下の歯間又は歯茎間の一部に介在させて清掃治療用の間隔を確保するための弾性素材からなるスぺーサーと、拭掃時に把持して上記スぺーサーを所要の介在場所に保持させておくためのハンドルとを有する口腔内清掃治療用開口器が提案されている。
【０００４】
この従来の開口器によれば、要治療者の口腔内部を、親や歯科医などの介護人が清掃治療するような場合に、口腔を開放させるようにしたものである。（特許文献１参照）
【０００５】
また、従来の開口器として、上唇に当接する上唇当接部と、下唇に当接する下唇当接部と、前記上唇当接部と下唇当接部とを連結する連結部と、前記上唇当接部と下唇当接部と連結部とを枠状に形成する開口部とを備えた構成のものが提案されている。この開口器具は、患者の口に装着して、例えば患者に上顎と下顎を閉じさせると、患者の歯並びが露呈され、歯科医師や歯科衛生士等が一人で開口部を介して患者の歯並びをカメラで撮影することができるものである。（特許文献２参照）
【特許文献１】特開２００１−１２０５８０号
【特許文献２】特開平１１−１７８７９２号
【発明の開示】
【発明が解決しようとする課題】
【０００６】
しかしながら、特許文献１に記載の開口器は、両方の奥歯に咥えられて口腔内に強く装着されてしまうものであり、装着した状態では、奥歯に咥えられた部分が、特に奥歯の内側が外から見え難くして口腔内の治療あるいは歯磨きによる清掃などの処理がし難い。また、治療などをする歯を変えるために、開口器を口腔内で位置を変えるように移動操作すると、奥歯に咥えられた部分が口腔内で移動するために、開口器を咬んでいる要治療者に不快感を与えてしまい、抵抗する原因にもなる。
【０００７】
また、特許文献２に記載の開口器具は、口唇両側の口角に掛け、撮影補助者が要治療者の後方へ引っ張り、上顎と下顎を閉じた状態で歯並びを露出させた状態で写真撮影を行うものであり、要治療者が抵抗するような場合には、上顎と下顎を開かせることができないので、確実に口腔内を清掃したり治療することができない。
【０００８】
本発明は、上記課題を解決するために提案されたもので、開口器を要治療者の口腔内に装着して大きく開放させ、口腔内での歯の唇側面ばかりでなく舌側面においても確実に治療したり清掃することができ、しかも要治療者に不快感を与えないので、乳児や幼児であっても抵抗なく使用できる開口器を提供することを目的とする。
【課題を解決するための手段】
【０００９】
上記課題を解決するために請求項１に記載の発明は、口腔内に装着されて口唇に当接し、開放した状態の口唇を支える口唇支持部と、上下の歯間に介在されて清掃治療用の口の開口状態を確保するための第１舌片と、該第１舌片が前記清掃治療用の開口状態を確保している時において頬裏部分に位置して頬肉を押圧する第２舌片と、指先で掴んで前記口唇支持部を保持したり口腔に着脱するための把持部とを有することを特徴とする口腔内清掃治療用開口器に関するものである。
【００１０】
また、請求項２に記載の発明は、前記口唇支持部の周面には、口腔内に装着されたときに、上下の口唇の周面に当接して、口唇の開口状態を支える前側口唇当接縁部および内側口唇当接縁部が湾曲状に連続し、前記口唇支持部の一側には、前記前側口唇当接縁部から延在する把持部と、内側口唇当接縁部から延在する第２舌片とが離間するように延長している請求項１に記載の口腔内清掃治療用開口器に関するものである。
【００１１】
また、請求項３に記載の発明は、前記口唇支持部、第１舌片及び第２舌片において、歯、歯茎及び頬に当接する全部若しくは一部分が弾性体からなり、他の部分が硬質体からなる請求項１又は２に記載の口腔内清掃治療用開口器に関するものである。
【発明の効果】
【００１２】
本発明の口腔内清掃治療用開口器によれば、把持部を掴んで開口器を要治療者の口腔内の右側に装着し、第２舌片を右頬の内側に挿入するとともに僅かに横に引いて第２舌片を右頬の内側から頬面に接するように押圧し、右側の臼歯と右頬の内面との間に大きな空間を形成させる。この状態で、把持部により口唇支持部を僅かに口腔の内部方向に回動させ、第１舌片を左側の側切歯若しくは犬歯の近傍に咬ませる。
このような操作により、要治療者の右側の口腔が大きく開放し、右側の歯の唇側面や舌側面ばかりでなく、臼歯の咬合面までもが露呈することになる。
【００１３】
したがって、介護人は、露呈している右側の歯の唇側面、舌側面や咬合面を歯ブラシで清掃したり、治療具で歯の治療をすることができる。この間、要治療者が第１舌片を強く咬んでいれば、口唇支持部は微動しないので介護人は把持部を持ち続けている必要がない。しかし、要治療者が第１舌片を咬み続けていることができなければ、介護人は把持部を持ち続けて口唇支持部を維持していればよい。
【００１４】
そして、右側の歯の唇側面、舌側面及び咬合面を清掃、治療したら、介護人は把持部を掴んだまま要治療者の口腔から口唇支持部を外し、開口器を左右逆にして要治療者の口腔内の左側に装着し、第２舌片を左頬の内側に挿入するとともに僅かに横に引いて第２舌片を左頬の内側から頬面に接するように押圧し、左側の臼歯と左頬の内面との間に大きな空間を形成させ、把持部で口唇支持部を僅かに口腔の内部方向に回動させ、第１舌片を右側の側切歯若しくは犬歯の近傍に咬ませる。したがって、前記右側と同様に、要治療者の左側の口腔が大きく開放し、左側の歯の唇側面、舌側面及び臼歯の咬合面までもが露呈することになるので、その面の清掃、治療をすることができる。
このように、本発明によれば、要治療者においては不快感や違和感を与えないで口腔内での殆ど全部の歯の唇側面、舌側面ばかりでなく、咬合面においても歯ブラシで確実に磨いたり、或いは治療具で治療をすることができる。
【発明を実施するための最良の形態】
【００１５】
以下、図面に基づいて本発明の実施例を説明する。
【実施例１】
【００１６】
図１は本発明に係る口腔内清掃治療用開口器の第１実施例の斜視図、図２は図１の正面図、図３は図２のＡ−Ａ線断面図、図４（ａ）は図２のＢ−Ｂ線断面図、図４（ｂ）は図２のＣ−Ｃ線断面図、図５（ａ）は口腔に装着した状態の正面図、図５（ｂ）はその縦断面図、図６は本発明の第２実施例の斜視図、図７はその正面図、図８は図７のＤ−Ｄ線断面図、図９（ａ）は図７のＥ−Ｅ線断面図、図９（ｂ）は図７のＦ−Ｆ線断面図である。
【００１７】
図１において、口腔内清掃治療用開口器１は、要治療者が口唇を開いた形状に対応する開口部２を持った口唇支持部３を有する。前記口唇支持部３は、要治療者が口唇を開いた状態に対応させるので、僅かに横長な円環状で、乳児や幼児用であれば径が短いし、成人若しくは高年者であればそれらの要治療者の開放する口唇に一致する径である。
【００１８】
前記口唇支持部３の周面には、口腔内に装着されたとき、上下の口唇の周面に当接して、口唇を捲り上げた状態に支持する前側口唇当接縁部３ａと、内側口唇当接縁部３ｂとを一体に連続するようにして設けてある。前記前側口唇当接縁部３ａと内側口唇当接縁部３ｂとは、人間の口唇の曲線に合わせて湾曲させた形状となっている。
【００１９】
また、口唇支持部３の口腔内側の周面に設けてある内側口唇当接縁部３ｂの一方の側部には、上下の歯の間に介在されて清掃治療用の間隔を確保するための第１舌片４が延設され、内側口唇当接縁部３ｂの他方の側部には、口腔内に介在されて頬裏部分に位置し、頬肉を押圧する第２舌片５が延在するように設けてある。
なお、上記第１舌片４の上下の縁部には、上下の歯で咬んでいる状態を安定させるために、緩い凹凸部４ａを設けてある。しかし、この凹凸部４ａは、図で示すように緩い波形ばかりでなく、小ピッチの波形であったり、小さな凸部を連続した形態であってもよいし、波形や凸部を形成しない平坦な縁部であってもよい。また、第１舌片４は、上下の縁部が平行な四辺形ではなく、先端に向かって緩く幅狭になる三角形状でもよい。
【００２０】
また、口唇支持部３の前側口唇当接縁部３ａの一方の側部には、第１舌片４に近接して、口唇の外面に当接して口唇の外側を押圧する第３舌片６が、第１舌片４に連続して延設されており、第１舌片４と第３舌片６とは口唇支持部３の開口部２の内外に鋭角状となって湾曲して延設されている。
【００２１】
また、前側口唇当接縁部３ａの他方の側部には、基端部分が第２舌片５に近接しているとともに、先端に向かって次第に離れるようにして把持部７を設けてあり、前記把持部７の中央には、掴みやすいように前側にテーパー状に広がる孔７ａを開設してある。
前記把持部７は、指先で開口器を掴んで、要治療者の口腔内に装着したり取り外し、及び口腔内で傾動したり移動させることができる。
【００２２】
次に図５（ａ），（ｂ）を参照して口腔内清掃治療用開口器の使用方法を説明する。図５（ａ）は図１の正面図による使用状態を示す説明図、図５（ｂ）は図４の断面図による使用状態を示す説明図である。
【００２３】
介護人が開口器１の把持部７を指先で掴み、要治療者の左側の口腔に装着し、第２舌片５を左頬の内側に挿入するとともに、開口器１を僅かに横に引いて第２舌片５を左頬の内側から頬面に接するように押圧し、左側の臼歯と左頬の内面との間に大きな空間を形成させる。この状態で、把持部７により口唇支持部３を僅かに口腔の内部方向に回動させ、第１舌片４を右側の上下の側切歯若しくは犬歯の近傍に咬ませる。
介護人がこのように操作すると、図５（ａ），（ｂ）に示すように、上下の口唇が口唇支持部３で支持されるとともに要治療者の左側の口腔が大きく開放し、左側の歯の唇側面や舌側面ばかりでなく、臼歯の咬合面までもが露呈することになる。
【００２４】
したがって、口腔内清掃治療用開口器１の開口部２からは、要治療者の左側の歯が上下に開いた状態を観察することができ、特に上歯については中央部から左に順に中切歯１６、側切歯１７、犬歯１８、小臼歯１９，２０、大臼歯２１，２２等が露出し、下歯については同様に中切歯２６、側切歯２７、犬歯２８、臼歯２９〜３２等が露出する。
【００２５】
上記のようにして、要治療者の左側の上歯と下歯が大きく開いた状態になり、左側の歯の唇側面や舌側面ばかりでなく、臼歯の咬合面までもが露呈する。
【００２６】
そして、介護人が前側口唇当接縁部３ａの前側に延設されている把持部７を操作すれば、第３舌片６が口唇の右の外側に当接し、右の上下の側切歯若しくは犬歯に咬ませている第１舌片４が支点として機能し、把持部７に近接して内側口唇当接縁部３ｂの側縁に延設されている第２舌片５が口腔内の左の頬肉を押圧して口腔内側をさらに広げたり、口腔内での開口部２の位置を変えることができる、したがって、介護人は開口部２を透して要治療者の左側の口腔内を自在に観察することができ、介護人は要治療者の口腔内の歯を歯ブラシで清掃したり、歯茎を綿棒やガーゼにより拭掃することにより要治療者の左側の口腔内清掃したり、歯科用用具を使用して治療することができる。
【００２７】
このようにして要治療者の左側の口腔内を治療したり清掃を終了すると、開口器１を口腔から取り外し、左右の向きを反対にして要治療者の口腔内の右側に装着し、第２舌片を右頬の内側に挿入するとともに僅かに横に引いて第２舌片を右頬の内側から頬面に接するように押圧し、右側の臼歯と右頬の内面との間に大きな空間を形成させ、把持部で口唇支持部を僅かに口腔の内部方向に回動させ、第１舌片を左側の側切歯若しくは犬歯の近傍に咬ませる。したがって、前記左側と同様に、要治療者の右側の口腔が大きく開放し、右側の歯の唇側面、舌側面及び臼歯の咬合面までもが露呈することになるので、その面の清掃、治療をすることができる。
【００２８】
このように介護人が要治療者の口腔内側を広げたり、口腔内での開口部の位置を変えるように操作しても、第１舌片を咬ませた部分が口腔内では殆ど移動しないから、要治療者に不快感を与えないで口腔内を清掃治療することができる。
【００２９】
図６から図９に示す本発明の第２実施例は、開口器１において、特に歯、歯茎及び頬の内側等に接触する部分の全部若しくは一部を弾力性の合成樹脂、若しくはゴム質で構成し、その他の部分を硬質樹脂、金属などの硬質材で構成したものである。
【００３０】
即ち、口唇支持部３の内周縁には弾力性口唇支持部縁部３’を、第１舌片４の上下の縁部には弾力性第１舌片縁部４’を、第２舌片５の周縁には弾力性第２舌片縁部５’を設けた構成で、その他の構成は前記第１実施例と変わらないので、同一符号を記載して詳細な説明を省略する。
そして、前記第２実施例において、歯、歯茎及び頬の内側等に接触する部分の全部若しくは一部を弾力性の合成樹脂、若しくはゴム質で構成するということは、口唇支持部縁部３’、第１舌片縁部４’を、第２舌片縁部５’の全てを弾力性の材質にすること、若しくはその内の一部を弾力性の材質にすることばかりでなく、開口器の他の部分の一部を弾力性の材質にすることを意味するのである。
【００３１】
本件発明の第２実施例によれば、要治療者が開口器１を咬んで治療や清掃をしているときに、弾力性の部分は歯、歯茎及び頬の形状に馴染んで弾性的に接触するので、違和感や治療感が著しく低減することになる。そして、弾力性の部分以外を硬質の樹脂や金属によって成形できるのできわめて強度があって堅牢になり、しかも長期間使用できる開口器を提供することができる。
【００３２】
以上本発明を実施例に基づいて説明したが、本発明は前記実施例に限定されるものではなく、特許請求の範囲に記載された本発明を逸脱することがなければ、種々の設計変更が可能であり、前記実施例に限定されないことはいうまでもない。
【図面の簡単な説明】
【００３３】
【図１】は本発明に係る口腔内清掃治療用開口器の第１実施例の斜視図である。
【図２】は図１の正面図である。
【図３】は図２のＡ−Ａ線断面図である。
【図４】（ａ）は図２のＢ−Ｂ線断面図、（ｂ）は図２のＣ−Ｃ線断面図である。
【図５】（ａ）は口腔に装着した状態の正面図、（ｂ）はその側面図である。
【図６】は本発明の第２実施例の斜視図である。
【図７】はその正面図である。
【図８】は図７のＤ−Ｄ線断面図である。
【図９】（ａ）は図７のＥ−Ｅ線断面図、（ｂ）は図７のＦ−Ｆ線断面図である。
【符号の説明】
【００３４】
１  口腔内清掃治療用開口器
２  開口部
３  口唇支持部
３ａ  前側口唇当接縁部
３ｂ  内側口唇当接縁部
４  第１舌片
５  第２舌片
６  第３舌片
７  把持部
７ａ  孔
【図１】
2006326017.tif 000003
【図２】
2006326017.tif 000004
【図３】
2006326017.tif 000005
【図４】
2006326017.tif 000006
【図５】
2006326017.tif 000007
【図６】
2006326017.tif 000008
【図７】
2006326017.tif 000009
【図８】
2006326017.tif 000010
【図９】
2006326017.tif 000011